(57)【要約】      （修正有）【課題】スマートモバイルデバイス内部の蓄熱問題を有効に解決し得る放熱構造を有するモバイルデバイス用キャリアを提供する。【解決手段】シリコーン又はゴムからなる可撓性を有する本体１１は、冷却用作動流体を収容するチャンバ１１１を内蔵する。チャンバ１１１は、内壁面に作動流体を流通する間隔を設けた支持部を壁面に沿って凸伸すると共に作動流体を吸着する毛細構造を設けている。本体１１は、モバイルデバイス４を搭載する吸熱部１１２とそれから延長して形成される放熱部１１４を構成して、吸熱部１１２でモバイルデバイス４の熱を吸収して気化した作動流体を放熱部１１４で冷却凝縮する気液循環熱交換チャンバを構成する。【選択図】図６
0003195692.tif 000002
【実用新案登録請求の範囲】
【請求項１】
シリコーン又はゴムの何れかの材質で形成される本体を有し、
該本体は、作動流体を収容するチャンバを内部に形成し、
該チャンバは、内壁面に沿って突出した支持部及び上記作動流体を吸着する毛細構造を設けることによって、載置したモバイルデバイスからの発熱を吸収する吸熱部及び該吸熱部から延長した放熱部を構成し、これら吸熱部と放熱部との間でモバイルデバイスからの発熱を吸熱部で吸収して気化した作動流体を放熱部で放熱冷却して凝縮液化する、気液循環経路を構成する、モバイルデバイス用キャリア。
【請求項２】
前記毛細構造は、メッシュ体又は繊維体又は金属線材編組体の何れかである請求項１に記載の放熱構造を有するモバイルデバイス用キャリア。
【請求項３】
前記本体は、更にモバイルデバイス載置部を有し、
該載置部は、前記吸熱部に設けられてモバイルデバイスの収容空間を有して該収容空間に少なくとも１つのモバイルデバイスを結合させて組み付けた、請求項１に記載の放熱構造を有するモバイルデバイス用キャリア。
【請求項４】
前記支持部は、複数のリブが間隔を呈して配列されて構成される請求項１に記載の放熱構造を有するモバイルデバイス用キャリア。
【請求項５】
更に、前記本体の吸熱部に嵌合された導熱体を有し、
該導熱体は、該本体の吸熱部のチャンバに相対する第２側と該本体から外部に露出する第１側を有し、前記毛細構造は、該第２側に沿って該チャンバ内壁に延伸貼合し、
前記導熱体は、ヒートパイプ又はヒートスプレッダ又はグラファイト又は金属部材の何れかである請求項１に記載の放熱構造を有するモバイルデバイス用キャリア。
【請求項６】
前記支持部は、複数の凸体が間隔を呈して配列されて構成される請求項１に記載の放熱構造を有するモバイルデバイス用キャリア。
【考案の詳細な説明】
【技術分野】
【０００１】
本考案は、放熱構造を有するモバイルデバイス用キャリアに関し、特に、ウェアラブルスマートモバイルデバイス内部で放熱を行う放熱構造を有するモバイルデバイス用キャリアに関する。
【背景技術】
【０００２】
現行のモバイルデバイスは、携帯電話、タブレット以外に腕時計、ネックレス、指輪まで拡張され、多機能を有するスマートモバイルウェアラブルデバイスとなっており、機能が日増しに増加されるのに伴い、タッチスクリーン及びＧＰＳチップ等の素子を加え、スマート腕時計をその他のモバイルデバイスとブルートゥース又はインターネット接続を介して使用させることができるほか、ＳＩＮカードを挿入し、３Ｇ又は４Ｇネットワークの使用及び通話等の機能を有することができるが、スマート腕時計は、動作時に熱量を発生し、また、スマート腕時計は、防水の効果を達成する為、全体を緊密に密閉する必要があり、内部の電子素子が発生する熱量が外向きに放熱を行うことができず、該腕時計内部に熱がこもってしまう。
【０００３】
従来のスマート腕時計を使用者に装着させるためのベルトには、各種材質があり、例えば、金属、皮、ゴム、プラスチック等があるが、何れもスマート腕時計が発生する熱を効果的に導出して放熱を行うことはできず、また、腕時計はベルトと共に可撓性を有して、使用者が装着することができるようにしなければならず、故に、湾曲できないか、可撓性を有さない放熱部材（例えば、ヒートパイプ、ヒートスプレッダ等）と組み合わせて放熱を行うことができない。
【０００４】
依然として周知技術のスマート腕時計は、過熱により作動の遅延を来たしたり、深刻な場合には機能停止する等の欠陥を生じ、このため、これらのスマート腕時計及び各種ウェアラブルなモバイルデバイスに対して如何に放熱するかは、現在最優先で解決すべき課題となっている。
【先行技術文献】
【特許文献】
【０００５】
【特許文献１】特開２０１４−１０２８４３号公報
【考案の概要】
【考案が解決しようとする課題】
【０００６】
上記問題を解決する為、本考案の目的は、スマートモバイルデバイス内部の蓄熱問題を有効に解決得る放熱構造を有するキャリアを提供することである。
【課題を解決するための手段】
【０００７】
上記目的を達成する為、本考案の放熱構造を有するキャリアは、本体を有し、該本体は、シリコーン又はゴムの可撓性を有する何れかの材質で形成され、該本体は、内部に作動流体を収容するチャンバを形成し、該チャンバは、内壁面に沿って少なくとも１つの毛細構造を有し、且つそのチャンバ壁面に支持部を凸伸して、該本体はこれらの構造からなる、少なくとも１つの吸熱部及び放熱部を構成し、該放熱部は、該吸熱部の少なくとも一端又は二端から延伸して形成され、本考案は、内部に吸熱部と放熱部との間で気液循環熱交換チャンバを構成する構造を形成したキャリアを提供し、該キャリアに積載して組み立てられるスマートモバイルデバイスの放熱効率を大幅に向上させる。
【考案の効果】
【０００８】
本考案の放熱構造を有するモバイルデバイス用キャリアは、本体を有し、該本体は、シリコーン又はゴムの何れかの可撓性材質で形成され、該本体は、チャンバを有し、該チャンバは、壁面に少なくとも１つの支持部を凸伸し、該チャンバは、少なくとも１つの毛細構造及び作動流体を有し、該本体は、少なくとも１つの吸熱部及び放熱部を定義し、該放熱部は、該吸熱部の少なくとも一端から延伸して形成され、本考案は、可撓性を有し、且つ内部に気液循環熱交換チャンバを有する構造を形成したキャリアを提供し、対応して組み立てられるスマートモバイルデバイスの放熱効率を大幅に向上させる。
【図面の簡単な説明】
【０００９】
【図１】本考案の放熱構造を有するキャリアの第１実施例の立体分解図である。
【図２】本考案の放熱構造を有するキャリアの第１実施例の組み合わせ断面図である。
【図３】本考案の放熱構造を有するキャリアの第２実施例の立体分解図である。
【図４】本考案の放熱構造を有するキャリアの第２実施例の分解断面図である。
【図５】本考案の放熱構造を有するキャリアの第３実施例の組み合わせ断面図である。
【図６】本考案の放熱構造を有するキャリアの第３実施例の立体分解図である。
【考案を実施するための形態】
【００１０】
本考案の上記目的及びその構造と機能上の特性について、図面に基づく好適実施例を挙げ、以下に説明する。
【００１１】
図１、図２を参照する。本考案の放熱構造を有するキャリアの第１実施例の立体分解及び組み合わせ断面図であり、図に示すように、本考案の放熱構造を有するキャリアは、本体１１を有し、
該本体１１は、シリコーン又はゴムの何れかの材質で形成される。該本体１１は、チャンバ１１１を有し、該チャンバ１１１内に毛細構造１１３及び作動流体２を有し、且つチャンバ１１１の壁面に支持部１１１ａを凸伸する。
【００１２】
該本体１１は、少なくとも１つの吸熱部１１２及び放熱部１１４を定義し、該放熱部１１４は、該吸熱部１１２の少なくとも一端から延伸して形成される。
【００１３】
前記毛細構造１３は、メッシュ体又は繊維体又は金属線材編組体の何れかである。
【００１４】
前記支持部１１１ａは、複数のリブ（柱、点、ブロック）１１１１が間隔を空けて配列されて構成され、各リブ１１１１間に少なくとも１つの通路１１１２を形成し、該通路１１１２は、作動流体２の気液循環時の蒸気通路として利用する。
【００１５】
前記本体１１は、射出成型（型内射出）又はその他の方法で成型され、該本体１１内部のチャンバ１１１は、支持部１１１ａ及び毛細構造１１３がそのチャンバ１１１内を完全に密封して真空に被覆し、作動流体２が気液循環するための空間及び構造を形成する。
【００１６】
本考案の放熱構造を有するキャリアは、少なくとも１つのスマートモバイルデバイスと結合することに用いられ、スマートモバイルデバイスが熱量を発生する時、それと組み合わせるウェアラブルキャリアの本体１１の吸熱部１１２により熱を吸収し、該吸熱部１１２箇所の内部チャンバ１１１の作動流体２を加熱して気化して、該吸熱部１１２箇所内のチャンバ１１１中で拡散させ、その熱を該放熱部１１４の内チャンバ１１１に伝達して冷却して、液体に凝縮させ、毛細構造１１３により凝縮液化した作動流体２を吸収して該吸熱部１１２付近に回流させ、再度気液循環熱交換を行う。
本考案のウェアラブルキャリアは、スマートモバイルデバイスを使用者の身体に装着させることができる以外に、更に、スマートモバイルデバイスの放熱の効果を提供し、内部に蓄熱が生汁ことを防止してスマートモバイルデバイスの放熱効果を向上させる。
【００１７】
図３を参照する。それは、本考案の放熱構造を有するキャリアの第２実施例の組み合わせ断面図であり、図に示すように、本実施例の一部の構造の技術的特徴は、前記第１実施例と同一であるので、ここでは再度言及しないが、本実施例と前記第１実施例の差異は、以下のとおりである。
本実施例の前記支持部１１１ａは、複数の凸体１１１３が間隔を呈して配列されて構成され、該凸体１１１３は、横向き及び縦向きに少なくとも１つの通路１１１２を形成し、該通路１１１２は、作動流体２（図２参照）の気液循環時の蒸気通路として使用する。
【００１８】
図４を参照する。それは、本考案の放熱構造を有するキャリアの第３実施例の立体分解図であり、図に示すように、本実施例の一部の構造の技術的特徴は、前記第１実施例と同一であるので、ここでは再度言及しないが、本実施例と前記第１実施例の差異は、以下のとおりである。
本実施例の本体１１は、更に、載置部１２を有し、該載置部１２は、スマートモバイルデバイス４に対応設置され、その周囲を密閉するように囲って設けられた収容空間１２１を構成する。
その吸熱部１１２は、該収容空間１２１内に設置され、該収容空間１２１は、少なくとも１つのスマートモバイルデバイス４を対応して結合して組み立てる。
【００１９】
本実施例中のスマートモバイルデバイス４は、スマート腕時計により実施例を説明するが、これに限定するものではなく、前記スマートモバイルデバイス４は、該載置部１２の収容空間１２１内に収容され、該本体１１の吸熱部１１２と貼合して設置され、該スマートモバイルデバイス４が発生する熱を該本体１１の吸熱部１１２及び放熱部１１４を介して放熱することができ、スマートモバイルデバイス４の蓄熱等の放熱の問題を解決する。
【００２０】
図５を参照する。それは、本考案の放熱構造を有するキャリアの第３実施例の組み合わせ断面図であり、図に示すように、本実施例の一部の構造上の技術的特徴は、前記第１実施例と同一であるので、ここでは再度説明しないが、本実施例と前記第１実施例の差異は、以下のとおりである。本実施例の前記本体１１のチャンバ１１１内に鍍金層５を更に有し、前記鍍金層５は、該チャンバ１１１及び複数の凸体１１１３の表面に設けられ、前記鍍金層５は、該チャンバ１１１内の作動流体２（図２参照）の冷却による凝縮効果を向上し、該作動流体２の凝縮後の収集の効果を補助する。
【００２１】
図６を参照する。それは、本考案の放熱構造を有するキャリアの第３実施例の立体分解図であり、図に示すように、本実施例の一部の構造上の技術的特徴は、前記第１実施例と同一であるので、ここでは再度説明しないが、本実施例と前記第１実施例の差異は、以下のとおりである。
本実施例は、更に導熱体３を有し、前記導熱体３は、前記本体１１の吸熱部１１２に嵌合され、前記導熱体３は、第１側３１及び第２側３２を有し、前記導熱体３の第１側３１は、該本体１１の外部に露出し、該第２側３２は、該本体１１のチャンバ１１１に相対し、前記毛細構造１１３は、隣り合う該導熱体３に延伸し、前記導熱体３は、ヒートパイプ又はヒートスプレッダ又はグラファイト又は金属部材の何れか１つであり、本実施例は、グラファイトにより実施例を説明するがこれに限定するものではない。
【００２２】
本実施例は、該本体１１の吸熱部１１２に嵌合される導熱体６によりスマートモバイルデバイス４と直接貼合する時、該導熱体３の第１側３１は、スマートモバイルデバイス４が発生する熱量を直接該本体１１に吸着伝導し、該導熱体３の第２側３２から熱量をチャンバ１１１内に導入し、本体１１の吸熱部１１２のチャンバ１１１内の動作流体２を蒸発気化して拡散させ、その後、該作動流体２が該放熱部１１４のチャンバ１１１に拡散する時、冷却凝縮後に毛細構造１１３から該導熱体３周囲吸着回流し、再度気液循環を行い、該スマートモバイルデバイス４の放熱の目的を達成する。
【符号の説明】
【００２３】
１１  本体
１１１  チャンバ
１１１ａ  支持部
１１１１  リブ
１１１２  通路
１１２  吸熱部
１１３  毛細構造
１１４  放熱部
２  作動流体
３  導熱体
３１  第１側
３２  第２側
４  スマートモバイルデバイス
５  鍍金層
６  導熱体
６１  第１側
６２  第２側
【図１】
0003195692.tif 000003
【図２】
0003195692.tif 000004
【図３】
0003195692.tif 000005
【図４】
0003195692.tif 000006
【図５】
0003195692.tif 000007
【図６】
0003195692.tif 000008